(57)【要約】      （修正有）【課題】従来よりもコストダウン及び短期間での施工ができるのみならず、且つ製作・施工の難易度をより減少させた、水素ステーション用パネル状構造物及び水素ステーションを提供する。【解決手段】所定厚さを有し、複数の断面コ字状鋼板パネル本体１２が、短手方向端部１４が相対向するように連結せしめられ、所定幅を形成してなる連結パネルユニット１６と、前記断面コ字状鋼板パネル本体のいずれかの凹部に取り付けられる小支柱と、前記連結パネルユニットを複数連結してなる連結パネル体２２と、前記連結パネル体の所定間隔毎に隣接して設けられる大支柱２４と、を含む、水素ステーション用パネル状構造物１０とした。【選択図】図１
0003208868.tif 000002
【実用新案登録請求の範囲】
【請求項１】
所定厚さを有し、複数の断面コ字状鋼板パネル本体が、短手方向端部が相対向するように連結せしめられ、所定幅を形成してなる連結パネルユニットと、
前記断面コ字状鋼板パネル本体のいずれかの凹部に取り付けられる小支柱と、
前記連結パネルユニットを複数連結してなる連結パネル体と、
前記連結パネル体の所定間隔毎に隣接して設けられる大支柱と、
を含む、水素ステーション用パネル状構造物。
【請求項２】
前記連結パネルユニットが、前記断面コ字状鋼板パネル本体を２〜４枚連結せしめたものである、請求項１記載の水素ステーション用パネル状構造物。
【請求項３】
前記断面コ字状鋼板パネル本体の厚さが６ｍｍであり、前記小支柱が１８００ｍｍ以内の間隔毎となるように設置されてなる、請求項１又は２記載の水素ステーション用パネル状構造物。
【請求項４】
請求項１〜３いずれか１項記載の水素ステーション用パネル状構造物を設置してなる水素ステーション。
【考案の詳細な説明】
【技術分野】
【０００１】
本考案は、自動車等に水素を供給するための水素ステーション用パネル状構造物及び水素ステーションに関する。
【背景技術】
【０００２】
従来、水素ステーションに用いられるパネル状構造物としては、高圧ガス保安法上、予想されるガス爆発の衝撃等に対して十分耐えられる構造のものである必要があり、高圧ガス保安法上の要請から、壁や屋根をコンクリートや鋼板で形成することが行われている。
【０００３】
鋼板で水素貯蔵建屋を建てる場合には、従来は、基礎の上に１．８ｍ毎に支柱を立て、前記支柱に厚さ６ｍｍの鋼板を溶接せしめて接合し、前記鋼板同士を溶接せしめて接合することが行われていた。また、柱の上には梁を渡して前記梁に厚さ６ｍｍの鋼板をやはり溶接せしめて接合し、前記鋼板同士を溶接せしめて接合することが行われていた。
【０００４】
しかしながら、このように１．８ｍ毎に支柱を立てて鋼板を溶接していく建設方法の場合、厚さ６ｍｍの鋼板は大変重量があるため、建屋の建設作業にあたっては、建屋の外側に建屋を覆うように、溶接などのための仮設足場の設置作業をまず行ってから建屋の建設作業を行う必要があり、建屋を覆うような仮設足場の設置・撤去作業を行うだけの日数が工期には必要であり、工期がどうしても長くなってしまうという問題があった。また、このような重量のある鋼板を取扱う場合には、特に慎重に作業しないと非常に危険であり、また、高所での溶接作業も必須であるため作業者が転落する危険もあった。さらに、建設作業にあたって、天候などにも左右されることがあり、工期が遅くなるおそれがあった。
【０００５】
また、コンクリートで建屋を建設する方法もあるが、同様に建屋を覆うような仮設足場の設置は必要であるし、コンクリートの打設・養生には日数もかかり、工期がどうしても長くなってしまうという問題があった。また、高所でのコンクリートの打設・養生は作業者が転落する危険もあった。さらに、天候などにも左右されることがあり、やはり工期が遅くなるおそれがあった。
【０００６】
さらに、昨今では工事の各工程を担う職人が高齢化してきているのみならず職人の数も減少してきていることから、いわゆる多能工の力も借りたいが、上記した方法では、職人に頼らざるを得なかった。
【０００７】
一方で、２０２０年に東京で開催されるオリンピックに向けて水素ステーションの設置数は増加することが想定されることから、水素ステーションの建設を安定的に供給することが不可欠である。
【０００８】
例えば、特許文献１に記載されたような水素貯蔵建屋が提案されているが、上記した問題を解決するものではない。また、本出願人は、特許文献２に記載された水素貯蔵建屋を提案しており、好評を得ているが、製作・施工の難易度をより減少させる必要があった。
【先行技術文献】
【特許文献】
【０００９】
【特許文献１】特開２００８−５７１８５号公報
【特許文献２】実用新案登録第３２０２２５４号公報
【特許文献３】特開２０１４−１７７８４８号公報
【考案の概要】
【考案が解決しようとする課題】
【００１０】
本考案は上記した従来技術の問題点に鑑みてなされたもので、従来よりもコストダウン及び短期間での施工ができるのみならず、且つ製作・施工の難易度をより減少させた、水素ステーション用パネル状構造物及び水素ステーションを提供することを目的とする。
【課題を解決するための手段】
【００１１】
上記課題を解決するために、本考案の水素ステーション用パネル状構造物は、所定厚さを有し、複数の断面コ字状鋼板パネル本体が、短手方向端部が相対向するように連結せしめられ、所定幅を形成してなる連結パネルユニットと、前記断面コ字状鋼板パネル本体のいずれかの凹部に取り付けられる小支柱と、前記連結パネルユニットを複数連結してなる連結パネル体と、前記連結パネル体の所定間隔毎に隣接して設けられる大支柱と、を含む、水素ステーション用パネル状構造物である。
【００１２】
前記連結パネルユニットが、前記断面コ字状鋼板パネル本体を２〜４枚連結せしめたものであるのが好適である。
【００１３】
前記断面コ字状鋼板パネル本体の厚さが６ｍｍであり、前記小支柱が１８００ｍｍ以内の間隔毎となるように設置されてなるのが好適である。
【００１４】
本考案の水素ステーションは、前記水素ステーション用パネル状構造物を設置してなる水素ステーションである。
【考案の効果】
【００１５】
本考案によれば、従来よりもコストダウン及び短期間での施工ができるのみならず、且つ製作・施工の難易度をより減少させた、水素ステーション用パネル状構造物及び水素ステーションを提供することができるという著大な効果を奏する。
【図面の簡単な説明】
【００１６】
【図１】本考案の水素ステーション用パネル状構造物の一つの実施の形態を示す斜視図である。
【図２】図１の水素ステーション用パネル状構造物の裏側からみた要部拡大斜視図である。
【図３】図１の水素ステーション用パネル状構造物を正面側からみた図である。
【図４】本考案の水素ステーション用パネル状構造物の一つの実施の形態を示す上面図である。
【図５】本考案の水素ステーション用パネル状構造物を用いて水素貯蔵建屋を建設している様子を示す要部概略斜視図である。
【図６】水素貯蔵建屋の基礎部分に好適に用いられるアンカーボルト付き弾性支承連続基礎梁の概略断面図である。
【図７】アンカーボルト付き弾性支承連続基礎梁を構築している様子を示す要部斜視図である。
【図８】本考案の水素ステーション用パネル状構造物を用いて水素貯蔵建屋を建設した様子を示す要部概略斜視図である。
【考案を実施するための形態】
【００１７】
以下に本考案の実施の形態を説明するが、これらは例示的に示されるもので、本考案の技術思想から逸脱しない限り種々の変形が可能なことはいうまでもない。
【００１８】
図１〜図４に、本考案の水素ステーション用パネル状構造物の一つの実施の形態を示す。図１〜図４において、符号１０は本考案の水素ステーション用パネル状構造物である。
【００１９】
本考案の水素ステーション用パネル状構造物１０は、所定厚さを有し、複数の断面コ字状鋼板パネル本体１２が、短手方向端部１４が相対向するように連結せしめられ、所定幅を形成してなる連結パネルユニット１６と、前記断面コ字状鋼板パネル本体１２のいずれかの凹部１８に取り付けられる小支柱２０と、前記連結パネルユニット１６を複数連結してなる連結パネル体２２と、前記連結パネル体２２の所定間隔毎に隣接して設けられる大支柱２４と、を含む、水素ステーション用パネル状構造物である。
【００２０】
図示の例では、連結パネルユニット１６は、断面コ字状鋼板パネル本体１２を４枚連結した例を示した。
【００２１】
また、図示の例では、断面コ字状鋼板パネル本体１２の厚さが６ｍｍであり、前記小支柱２０が１８００ｍｍ以内の間隔毎となるように設置されている。即ち、図４において、小支柱２０同士の間隔Ｄは、１７６６ｍｍとされている。
【００２２】
複数の断面コ字状鋼板パネル本体１２が、短手方向端部１４が相対向するように連結具３０によって連結せしめられている。連結具の例としてはボルトとナットの例を示した。このようにして、所定幅を形成してなる連結パネルユニット１６とされている。
【００２３】
また、大支柱２４については、５ｍ間隔で設置するのが好ましいが、図１や図３では、もう少し狭い間隔で例示してある。
【００２４】
図２及び図４によく示されるように、小支柱２０及び大支柱２４としては、Ｈ形鋼を用いることができる。小支柱２０は、断面コ字状鋼板パネル本体１２の凹部１８に取り付けられて設置される。
【００２５】
小支柱２０は、例えば図２に示すように、取付け板２６ａ，２６ｂを介して、小支柱２０が断面コ字状鋼板パネル本体１２の凹部１８に取付けられるようにすればよい。符号２７は小支柱２０の台座である。取付け板２６ａ，２６ｂは、連結具２８（図示例ではボルトとナット）によって接合されている。
【００２６】
本考案の水素ステーション用パネル状構造物１０は、高圧ガス保安法の基準にも適合するものである。
【００２７】
図５に、本考案の水素ステーション用パネル状構造物を用いて水素貯蔵建屋を建設している様子を示す。水素貯蔵建屋は水素ステーションに設置される建屋である。図５において、符号３２は柱であり、符号３４は梁である。柱３２及び梁３４は鉄骨であり、それぞれボルトで相互に連結された鉄骨構造となっている。柱３２及び梁３４は、図１〜４に示した大支柱２４と同じ役目を担っている。
【００２８】
そして、符号１２は断面コ字状鋼板パネル本体を示す。断面コ字状鋼板パネル本体１２のいずれかの凹部１８には小支柱２０が取り付けられている。
【００２９】
水素ステーションは、ガソリンに代わって水素を自動車に供給するための施設であり、水素供給ノズル等を備えた水素供給設備と、水素貯蔵建屋と、を含む施設である。水素ステーションは、水素スタンドとも呼ばれることがある。本考案の水素ステーションには、本考案の水素貯蔵建屋を設置する水素ステーションであればいずれも含まれる。なお、水素貯蔵建屋を除く水素ステーションの設備、例えば水素供給設備などについては公知の技術を適用することができる。
【００３０】
図６には、本考案の水素貯蔵建屋の基礎部分に好適に用いられる、弾性支承連続基礎梁の一つの実施の形態を示す。建設予定地の床用地面Ｇの基礎形成部分に所定の深さを有する上面四角形状の基礎用周回溝３６を掘り、前記基礎用周回溝３６に砕石３８を敷いて、前記砕石３８を敷いた前記基礎用周回溝３６に鉄筋及び／又は鉄骨を周回状に載置し、コンクリートを打設することにより、弾性支承連続基礎梁４２を作成すると共に、アンカーボルト４４が等間隔で型板に固定突出せしめられたアンカーボルト型板部材を立設せしめてコンクリートを打設しアンカーボルト付き弾性支承連続基礎梁４６が作製される。図示例では、周回状に載置した鉄骨４０の外周面に鉄筋４１を環状に配筋してある。符号４８は捨てコンクリートであり、符号５０は床用コンクリートである。
【００３１】
上記したアンカーボルト付き弾性支承連続基礎梁４６としては、特許文献３に記載されたものを適用できる。
【００３２】
また、上記した弾性支承連続基礎梁を構築中の様子を図７に示す。図７では、鉄骨４０を周回状に載置したところの状態を示しており、周回状に載置した鉄骨４０の外周面に環状に配筋した鉄筋４１（図６）の図示は省略してある。
【００３３】
図７において、捨てコンクリート４８の上部には、鉄骨４０が周回状に載置されている。かかる周回状の鉄骨４０には、要所から柱連結部５４が立設せしめられている。図示例では、四方の各梁が交わる箇所に柱連結部５４を立設せしめた例を示した。
【００３４】
アンカーボルト付き弾性支承連続基礎梁４６上に、水素ステーション用パネル状構造物１０を取り付けるにあたっては、図１〜４に示した大支柱２４を、図７に示した柱連結部５４上に載置し、ボルトとナットで連結せしめることで柱連結部５４上に連結される。また、断面コ字状鋼板パネル本体１２は、断面コ字状鋼板パネル本体１２の下面にアンカーボルト用の孔を形成しておき、図６に示すように、アンカーボルト４４を挿入して、ボルト等で固定する。これにより、連結パネルユニット１６が、アンカーボルト付き弾性支承連続基礎梁４６上に立設固定せしめられる。
【００３５】
このようにして次々に断面コ字状鋼板パネル本体１２を連結させていくと、図８に示すような水素貯蔵建屋５２が完成する。断面コ字状鋼板パネル本体１２は、予め工場で生産してから現場に運ぶようにすることで、現場施工の作業工程を大幅に減少させることができ短期間での施工が可能となる。また、建屋を覆うような仮設足場の設置も不要である。これにより、従来の施工方法よりも大幅なコストダウン及び大幅な工期の短縮を実現することができる。
【００３６】
また、断面コ字状鋼板パネル本体１２の製作も従来よりも容易となり、現場での施工でも取り扱い易くなったため、従来よりもコストダウン及び短期間での施工ができるのみならず、且つ製作・施工の難易度をより減少させた、水素ステーション用パネル状構造物となっている。
【００３７】
本考案の水素ステーション用パネル状構造物１０は、防火壁や障壁に好適に適用できる。また、図７に示すような水素貯蔵建屋５２への適用も可能である。本考案の水素ステーション用パネル状構造物１０を設置すれば、本考案の水素ステーションとなる。
【符号の説明】
【００３８】
１０：本考案の水素ステーション用パネル状構造物、１２：断面コ字状鋼板パネル本体、１４：短手方向端部、１６：連結パネルユニット、１８：断面コ字状鋼板パネル本体の凹部、２０：小支柱、２２：連結パネル体、２４：大支柱、２６ａ，２６ｂ：取付け板、２７：台座、２８：連結具、３０：連結具、３２：柱、３４：梁、３６：上面四角形状の基礎用周回溝、３８：砕石、４０：鉄骨、４１：鉄筋、４２：弾性支承連続基礎梁、４４：アンカーボルト、４６：アンカーボルト付き弾性支承連続基礎梁、４８：捨てコンクリート、５０：床用コンクリート、５２：水素貯蔵建屋、５４：柱連結部、Ｄ：間隔、Ｇ：床用地面。
【図１】
0003208868.tif 000003
【図２】
0003208868.tif 000004
【図３】
0003208868.tif 000005
【図４】
0003208868.tif 000006
【図５】
0003208868.tif 000007
【図７】
0003208868.tif 000008
【図８】
0003208868.tif 000009
【図６】
0003208868.tif 000010